(57)【特許請求の範囲】
【請求項１】
透液性表面シートと不透液性裏面シートとの間に吸液性コアが介在し、縦方向に前胴周り域と後胴周り域とそれら胴周り域の間に位置する股下域とを備え、前記前後胴周り域を連結するテープファスナが、前記後胴周り域の両側縁部から横方向外方へ延び、前記テープファスナを止着するターゲットテープが、前記前胴周り域の裏面シートの外面に配置された使い捨ておむつにおいて、
フック部材が、前記テープファスナの前記ターゲットテープに対する対向面に配置され、前記後胴周り域の両側縁部に近接する前記フック部材の内側縁近傍が、前記テープファスナに固着されることなく、該テープファスナから遊離し、前記前胴周り域の両側縁部に近接する前記ターゲットテープの両側縁近傍が、前記裏面シートに固着されることなく、該裏面シートから遊離していることを特徴とする前記おむつ。
【請求項２】
前記ターゲットテープが、該ターゲットテープの両側縁の間を横方向へ所与寸法離間して並ぶ多数の接合部によって前記裏面シートに固着され、前記接合部の間の部位が、前記裏面シートに固着されることなく、該裏面シートから遊離している請求項１記載のおむつ。
【発明の詳細な説明】
【０００１】
【発明の属する技術分野】
本発明は、排泄物を吸収、保持する使い捨ておむつに関する。
【０００２】
【従来の技術】
実開平９−１９１９０８号公報は、透液性表面シートと不透液性裏面シートとの間に吸液性コアが介在し、後胴周り域の両側縁部から横方向外方へ延びるテープファスナと、前胴周り域における裏面シートの外面に取り付けられたターゲットテープとを有するオープン型の使い捨ておむつを開示している。このおむつでは、ターゲットテープとしてループ部材が使用され、テープファスナのターゲットテープに対する対向面にフック部材が取り付けられている。ターゲットテープは、テープファスナに対する止着域となる。このおむつでは、フック部材とターゲットテープとを係合させてテープファスナをターゲットテープに止着し、おむつの前後胴周り域を連結する。前後胴周り域が連結されたおむつには、胴周り開口と一対の脚周り開口とが画成される。
【０００３】
【発明が解決しようとする課題】
同号公報に開示のおむつでは、その着用時に着用者の脚部の動作によって、前後胴周り域の両側縁部が動き、その動きがテープファスナを介してフック部材に伝わる。おむつの動きによっては、フック部材とターゲットテープとを脱離させるような剥離力やせん断力がフック部材とターゲットテープとに作用する。この剥離力やせん断力は、後胴周り域の両側縁部に近接するフック部材の内側縁近傍と、前胴周り域の両側縁部に近接するターゲットテープの両側縁近傍に集中する。
【０００４】
このおむつでは、フック部材の内側縁近傍がテープファスナに固着されているので、フック部材の内側縁近傍がテープファスナに拘束されて自由に動くことができない。おむつでは、前記剥離力やせん断力がフック部材の内側縁近傍に直接作用し、フック部材がその内側縁においてターゲットテープから容易に脱離してしまう。
【０００５】
また、このおむつでは、ターゲットテープの両側縁近傍が裏面シートに固着されているので、ターゲットテープの両側縁近傍がおむつに拘束されて自由に動くことができない。おむつでは、ターゲットテープの両側縁近傍にフック部材の内側縁近傍が係合していると、前記剥離力やせん断力がフック部材の内側縁近傍とターゲットテープの両側縁近傍とに直接作用し、フック部材がその内側縁においてターゲットテープから一層容易に脱離してしまう。
【０００６】
このおむつでは、フック部材の内側縁がターゲットテープから脱離すると、フック部材とターゲットテープとの脱離が進み、それらの係合が解除されてしまう場合がある。
【０００７】
本発明の課題は、前後胴周り域を連結したおむつの着用時においておむつが動いたとしても、フック部材とターゲットテープとの係合が簡単に解除されることがない使い捨ておむつを提供することにある。
【０００８】
【課題を解決するための手段】
前記課題を解決するための本発明の前提は、透液性表面シートと不透液性裏面シートとの間に吸液性コアが介在し、縦方向に前胴周り域と後胴周り域とそれら胴周り域の間に位置する股下域とを備え、前記前後胴周り域を連結するテープファスナが、前記後胴周り域の両側縁部から横方向外方へ延び、前記テープファスナを止着するターゲットテープが、前記前胴周り域の裏面シートの外面に配置された使い捨ておむつである。
【０００９】
かかる前提において、本発明の特徴は、フック部材が、前記テープファスナの前記ターゲットテープに対する対向面に配置され、前記後胴周り域の両側縁部に近接する前記フック部材の内側縁近傍が、前記テープファスナに固着されることなく、該テープファスナから遊離し、前記前胴周り域の両側縁部に近接する前記ターゲットテープの両側縁近傍が、前記裏面シートに固着されることなく、該裏面シートから遊離していることにある。
【００１０】
【００１１】
本発明の実施の態様の他の一例としては、前記ターゲットテープが、該ターゲットテープの両側縁の間を横方向へ所与寸法離間して並ぶ多数の接合部によって前記裏面シートに固着され、前記接合部の間の部位が、前記裏面シートに固着されることなく、該裏面シートから遊離している。
【００１２】
【発明の実施の形態】
添付の図面を参照し、本発明にかかる使い捨ておむつの詳細を説明すると、以下のとおりである。
【００１３】
図１，２は、使い捨ておむつ１の部分破断斜視図と、図１のＡ−Ａ線断面図とであり、図３は、図１のＢ−Ｂ線断面図である。図１では、縦方向を矢印Ｘで示し、横方向を矢印Ｙで示す。なお、表裏面シート２，３や防漏シート５等の部材における内面とは、コア４に対向する面をいい、外面とは、コア４に非対向の面をいう。
【００１４】
おむつ１は、透液性表面シート２と、不透液性裏面シート３と、表面シート２と裏面シート３との間に介在し、全体がティッシュペーパー（図示せず）に被覆、接合された吸液性コア４とを主要な構成部材とする。コア４は、ティッシュペーパーを介して表面シート２と裏面シート３との内面に接合されている。
【００１５】
おむつ１は、縦方向に前胴周り域２０と、後胴周り域２２と、前後胴周り域２０，２２の間に位置する股下域２１とを備え、縦方向へ延びる両側縁部１ａと、横方向へ延びる両端縁部１ｂとを有する。両側縁部１ａは、股下域２１においておむつ１の横方向内方へ向かって弧を画いている。
【００１６】
おむつ１の両側縁部１ａには、縦方向へ延びる一対の防漏シート５が取り付けられている。両側縁部１ａには、縦方向へ伸縮する複数条の脚周り用弾性部材６が伸長状態で取り付けられている。おむつ１の両端縁部１ｂには、横方向へ伸縮する帯状の胴周り用弾性部材７が伸長状態で取り付けられている。
【００１７】
おむつ１の後胴周り域２２では、その両側縁部１ａから横方向外方へテープファスナ８が延びている。前胴周り域２０における裏面シート３の外面には、テープファスナ８の止着域となるターゲットテープ１０が配置されている。
【００１８】
テープファスナ８は、可撓性を有する不織布から形成され、基端部８ａと、基端部８ａから横方向外方へ延びる自由端部８ｂとを有する。テープファスナ８の自由端部８ｂには、ターゲットテープ１０に対する対向面にフック部材９が配置されている。テープファスナ８は、可撓性を有するプラスチックシートから形成されていてもよい。
【００１９】
フック部材９は、略矩形のもので、後胴周り域の両側縁部に近接する内側縁近傍がテープファスナ８に固着されることなく、テープファスナ８から遊離している。フック部材９では、内側縁９ａ近傍を除く残余の部位９ｂが接着剤（図示せず）を介してテープファスナ８に固着されている。おむつ１の非着用時では、テープファスナ８の自由端部８ｂが表面シート２の外面へ向って折曲され、フック部材９を介して表面シート２に剥離可能に仮着される（図示せず）。
【００２０】
ターゲットテープ１０は、横方向へ長い矩形の可撓性を有するループ部材から形成され、縦方向へ延びる両側縁１０ａと横方向へ延びる両端縁１０ｂとを有する。ターゲットテープ１０は、その両側縁１０ａ近傍が裏面シート３に固着されることなく、裏面シート３から遊離している。ターゲットテープ１０では、両側縁１０ａ近傍を除く残余の部位１０ｃが接着剤（図示せず）を介して裏面シート３の外面に固着されている。
【００２１】
防漏シート５は、縦方向へ延びる固定縁部５ａおよび自由縁部５ｂと、おむつ１の横方向内方へ倒伏されて表面シート２に重なる両端部５ｃとを有する。防漏シート５では、固定縁部５ａから横方向外方へ外側部分５ｄが延びている。固定縁部５ａと両端部５ｃとは、表面シート２の外面に固着されている。自由縁部５ｂには、縦方向に伸縮する弾性部材１１が伸長状態で固着されている。弾性部材１１は、自由縁部５ｂの一部に被覆されている。
【００２２】
おむつ１の両側縁部１ａでは、表面シート２がコア４の両側縁から横方向外方へわずかに延び、表面シート２からさらに横方向外方へ裏面シート３と防漏シート５の外側部分５ｄとが延びている。両側縁部１ａでは、表裏面シート２，３と防漏シート５の外側部分５ｄとの互いに重なり合う部分が固着されている。おむつ１の両端縁部１ｂでは、表面シート２と裏面シート３とがコア４の両端縁から縦方向外方へ延び、表裏面シート２，３と防漏シート５との互いに重なり合う部分が固着さている。
【００２３】
テープファスナ８は、その基端部８ａが表面シート２と裏面シート３との間に介在し、それらシート２，３の内面に接着剤（図示せず）を介して固着されている。脚周り用弾性部材６は、裏面シート３と防漏シート５の外側部分５ｄとの間に介在し、それらシート３，５の内面に固着されている。胴周り用弾性部材７は、表面シート２と裏面シート３との間に介在し、それらシート２，３の内面に固着されている。
【００２４】
図１では、弾性部材６，７，１１各々が収縮し、おむつ１の両側縁部１ａおよび端縁縁部１ｂと防漏シート５の自由縁部５ｂとに多数のギャザーが形成されている。図１では、おむつ１が表面シート２を内側にして縦方向へ湾曲し、弾性部材１１が収縮して防漏シート５の自由縁部５ｂが図１の上方へ起立している。
【００２５】
図４，５は、前胴周り域２０と後胴周り域２２とを連結した着用状態で示すおむつ１の斜視図と、図４のＣ−Ｃ線断面図とである。図４では、フック部材９の内側縁９ａ近傍がターゲットテープ１０の両側縁１０ａ近傍に係合した状態で示す。図５では、フック部材９とターゲットテープ１０とに作用する剥離力を矢印Ｚ１で示し、それらに作用するせん断力を矢印Ｚ２で示す。
【００２６】
おむつ１の着用時では、テープファスナ８がフック部材９を介してターゲットテープ１０の外面に止着される。おむつ１では、フック部材９のフックがターゲットテープ１０のループに引っ掛り、フック部材９とターゲットテープ１０とが互いに係合する。前後胴周り域２０，２２が連結されたおむつ１では、胴周り開口１２と一対の脚周り開口１３とが画成されている。
【００２７】
おむつ１では、フック部材９の内側縁９ａ近傍がテープファスナ８から遊離しているので、フック部材９の内側縁９ａ近傍がテープファスナ８に拘束されることなく自由に動くことができる。また、おむつ１では、ターゲットテープ１０の両側縁１０ａ近傍が裏面シート３から遊離しているので、ターゲットテープ１０の両側縁１０ａ近傍がおむつ１に拘束されることなく自由に動くことができる。
【００２８】
おむつ１では、その着用時に、着用者の脚部の動作によってその両側縁部１ａが動き、フック部材９とターゲットテープ１０との係合を解除させるような剥離力やせん断力がフック部材９とターゲットテープ１０とに作用したとしても、前記剥離力やせん断力がテープファスナ８からフック部材９の内側縁９ａ近傍に直接伝わることはなく、かつ、前記剥離力やせん断力がおむつ１からターゲットテープ１０の両側縁１０ａ近傍に直接伝わることはない。ゆえに、おむつ１では、フック部材９の内側縁９ａ近傍がターゲットテープ１０の両側縁１０ａ近傍から簡単に脱離してしまうことを防ぐことができる。
【００２９】
図６，７は、他の実施の形態を示すおむつ１の部分破断斜視図と、図６のＤ−Ｄ線断面図とである。図６のおむつ１が図１のそれと異なる点は、以下のとおりである。おむつ１では、ターゲットテープ１０がその両側縁１０ａの間を横方向へ所与寸法離間して並ぶ多数の接合部１４によって裏面シート３の外面に取り付けられている。接合部１４では、ターゲットテープ１０が接着剤（図示せず）を介して裏面シート３に固着されている。ターゲットテープ１０では、その両側縁１０ａ近傍が裏面シート３から遊離しているとともに、接合部１４の間の部位１０ｃが裏面シート３に固着されることなく、裏面シート３から遊離している。
【００３０】
このおむつ１では、ターゲットテープ１０がその両側縁１０ａ近傍のみならず、部位１０ｄにおいてもおむつ１に対して自由に動くことができるので、前記剥離力やせん断力がおむつ１からターゲットテープ１０の部位１０ｄに直接伝わることはない。ゆえに、おむつ１では、フック部材９の内側縁９ａ近傍がターゲットテープ１０の部位１０ｄに係合したとしても、フック部材９の内側縁９ａ近傍がターゲットテープ１０の部位１０ｄから簡単に脱離してしまうことはない。
【００３１】
表面シート２には、不織布や開孔プラスチックフィルム等の透液性のシート、好ましくは、透液性であって親水性のシートを使用することができる。裏面シート３には、疎水性不織布や不透液性のプラスチックフィルム、または、疎水性不織布とプラスチックフィルムとのラミネートシート、好ましくは、通気不透液性のシートを使用することができる。また、裏面シート３には、高い耐水性を有するメルトブローン法による不織布を、高い強度を有しかつ柔軟性に富んだスパンボンド法による不織布で挟んだ複合不織布を使用することもできる。
【００３２】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維またはサドバイサイド型複合繊維を使用することができる。
【００３３】
コア４は、フラッフパルプと高吸収性ポリマー粒子と熱可塑性合成樹脂繊維との混合物であり、所要の厚みに圧縮されている。高吸収性ポリマーとしては、デンプン系、セルロース系、合成ポリマー系のものを使用することができる。
【００３４】
表裏面シートどうしの固着、表裏面シートに対するコア４の接合や弾性部材６，７，１１、テープファスナ８、ターゲットテープ１０の固着には、ホットメルト系接着剤、または、ヒートシールやソニックシール等の熱溶着の手段を利用することができる。
【００３５】
【発明の効果】
本発明にかかる使い捨ておむつによれば、フック部材の内側縁近傍がテープファスナから遊離しているので、フック部材の内側縁近傍がテープファスナに拘束されることなく自由に動くことができる。このおむつでは、その着用時に、フック部材とターゲットテープとの係合を解除させるような剥離力やせん断力がフック部材とターゲットテープとに作用したとしても、前記剥離力やせん断力がテープファスナからフック部材の内側縁近傍に直接伝わることはないので、フック部材の内側縁近傍がターゲットテープから簡単に脱離してしまうことはない。
【００３６】
ターゲットテープの両側縁近傍が裏面シートから遊離しているおむつでは、ターゲットテープの両側縁近傍がおむつに拘束されることなく自由に動くことができる。このおむつでは、前記剥離力やせん断力がおむつからターゲットテープの両側縁近傍に直接伝わることはないので、ターゲットテープの両側縁近傍にフック部材が係合したとしても、フック部材がターゲットテープから簡単に脱離してしまうことはない。
【００３７】
ターゲットテープがその両側縁の間を横方向へ所与寸法離間して並ぶ多数の接合部によって裏面シートの外面に取り付けられたおむつでは、ターゲットテープの接合部の間の部位が裏面シートから遊離しているので、部位がおむつに拘束されることなく自由に動くことができる。このおむつでは、前記剥離力やせん断力がおむつからターゲットテープの部位に直接伝わることはないので、フック部材がターゲットテープの部位に係合したとしても、フック部材がターゲットテープから簡単に脱離してしまうことはない。
【図面の簡単な説明】
【図１】  使い捨ておむつの部分破断斜視図。
【図２】  図１のＡ−Ａ線断面図。
【図３】  図１のＢ−Ｂ線断面図。
【図４】  前胴周り域と後胴周り域とを連結した着用状態で示すおむつの斜視図。
【図５】  図４のＣ−Ｃ線断面図。
【図６】  他の実施の形態を示すおむつの部分破断斜視図。
【図７】  図６のＤ−Ｄ線断面図。
【符号の説明】
１            使い捨ておむつ
１ａ          両側縁部
２            透液性表面シート
３            不透液性裏面シート
４            吸液性コア
８            テープファスナ
９            フック部材
９ａ          内側縁
１０            ターゲットテープ
１０ａ          両側縁
１０ｄ          部位
１４            接合部
２０            前胴周り域
２１            股下域
２２            後胴周り域
【図１】
0003732393.tif 000002
【図２】
0003732393.tif 000003
【図３】
0003732393.tif 000004
【図４】
0003732393.tif 000005
【図５】
0003732393.tif 000006
【図６】
0003732393.tif 000007
【図７】
0003732393.tif 000008